(57)【要約】【課題】操作者に特段の負荷をかけずに移動中の投写画像を聴衆に認識しづらくすることを可能にしたプロジェクターを提供すること。【解決手段】光源手段と、画像信号を入力する画像信号入力手段と、前記光源手段から出射された光を前記画像信号に基づいて変調する光変調手段と、前記光変調手段で変調された光を装置外部へ投写する投写レンズユニットと、被投写面における投写画像の輝度を低減させる輝度低減手段と、被投写面における投写画像の位置、サイズのうち少なくとも一つを変更する投写画像変位手段と、前記投写画像変位手段に対し、所定位置・サイズへの変位を指示する指示手段と、前記指示手段からの変位指示に基づき、前記投写画像変位手段が投写画像の変位を行う間、前記輝度低減手段によって、非投写面における投写画像の輝度を低減することを特徴とする。【選択図】図１
2017175308.tif 000002
【特許請求の範囲】
【請求項１】
光源手段と、
画像信号を入力する画像信号入力手段と、
前記光源手段から出射された光を前記画像信号に基づいて変調する光変調手段と、
前記光変調手段で変調された光を装置外部へ投写する投写レンズユニットと、
被投写面における投写画像の輝度を低減させる輝度低減手段と、
被投写面における投写画像の位置、サイズのうち少なくとも一つを変更する投写画像変位手段と、
前記投写画像変位手段に対し、所定位置・サイズへの変位を指示する指示手段と、
前記指示手段からの変位指示に基づき、前記投写画像変位手段が投写画像の変位を行う間、前記輝度低減手段によって、非投写面における投写画像の輝度を低減することを特徴とするプロジェクター。
【請求項２】
光源手段と、
画像信号を入力する画像信号入力手段と、
前記光源手段から出射された光を前記画像信号に基づいて変調する光変調手段と、
前記光変調手段で変調された光を装置外部へ投写する投写レンズユニットと、
被投写面における投写画像の輝度を低減させる輝度低減手段と、
被投写面における投写画像の位置、サイズのうち少なくとも一つを変更する投写画像変位手段と、
前記投写画像変位手段に対し、所定位置・サイズへの変位を指示する指示手段と、
所定の時点における、投写画像の位置、サイズに関わる状態を取得する情報取得手段と、
前記指示手段からの変位指示が行われると、前記情報取得手段からその時点の投写画像の位置、サイズに関わる情報を取得し、
該情報が、前記指示手段から指示された変位指示値との間で所定の差分条件を満たす場合に、
前記指示手段からの変位指示に基づき、前記投写画像変位手段が投写画像の変位を行う間、前記輝度低減手段によって、非投写面における投写画像の輝度を低減することを特徴とするプロジェクター。
【請求項３】
前記輝度低減手段は、前記光源手段の出射光量制御、前記光変調手段における変調用画像の画像処理、前記投写レンズユニットへの光の入射量制御、前記投写レンズユニットから装置外部への光の出射量制御、のうち、少なくとも一つによって投写画像の輝度を低減することを特徴とする請求項１又は請求項２に記載のプロジェクター。
【請求項４】
前記投写画像変位手段は、光学ズーム、レンズシフトのうち少なくとも一つを移動させることによって、投写画像の位置、サイズのうち少なくとも一方を変位させることを特徴とする請求項１乃至請求項３の何れか一項に記載のプロジェクター。
【請求項５】
前記投写画像変位手段は、装置筐体の位置や向きを移動させることによって、投写画像の位置、サイズのうち少なくとも一方を変位させることを特徴とする請求項１乃至請求項３の何れか一項に記載のプロジェクター。
【発明の詳細な説明】
【技術分野】
【０００１】
本発明は、プロジェクターに関し、特に投写画面の位置、大きさを変更する機能を持ったプロジェクターに関する。
【背景技術】
【０００２】
従来、プロジェクターの投写画面の位置を予め記憶した設定値に従って、所定の位置に移動させる機能を持ったプロジェクターが知られている。
【０００３】
特許文献１には、映像投写に関する複数のパラメータを記憶したパラメータセットから所定のものを選択すると、そのパラメータセットに従って光学系または画質の調整を行うプロジェクター制御装置が開示されている。
【０００４】
特許文献２には、所定の時点において記憶されたズーム位置、フォーカス位置、レンズシフト位置、キーストーン歪み補正値と、スクリーンに対する位置変化量とから、所定時点におけるスクリーン上の投影画像の画角を保持するプロジェクターが開示されている。
【先行技術文献】
【特許文献】
【０００５】
【特許文献１】特開２００３−２９５３２１号公報
【特許文献２】特許第５１７６４４８号公報
【発明の概要】
【発明が解決しようとする課題】
【０００６】
しかしながら、上述の特許文献に開示された従来技術では、投写画像を移動する際にも画像が投写されるため、移動経路に存在する物体が投写光により照らしだされ、移動中の品位を損なうという問題がある。
【０００７】
また、移動中に投写画像を極力観衆に認識させないようにするためには、画像の輝度を低減させる処理を操作者自身が行わなければならず、操作が複雑になる。
【０００８】
そこで、本発明の目的は、操作者に特段の負荷をかけずに移動中の投写画像を聴衆に認識しづらくすることを可能にしたプロジェクターを提供することにある。
【課題を解決するための手段】
【０００９】
上記の目的を達成するために、本発明に係るプロジェクターは、
光源手段と、
画像信号を入力する画像信号入力手段と、
前記光源手段から出射された光を前記画像信号に基づいて変調する光変調手段と、
前記光変調手段で変調された光を装置外部へ投写する投写レンズユニットと、
被投写面における投写画像の輝度を低減させる輝度低減手段と、
被投写面における投写画像の位置、サイズのうち少なくとも一つを変更する投写画像変位手段と、
前記投写画像変位手段に対し、所定位置・サイズへの変位を指示する指示手段と、
前記指示手段からの変位指示に基づき、前記投写画像変位手段が投写画像の変位を行う間、前記輝度低減手段によって、非投写面における投写画像の輝度を低減することを特徴とする。
【発明の効果】
【００１０】
本発明によれば、操作者に特段の負荷をかけずに移動中の投写画像を聴衆に認識しづらくすることを可能にしたプロジェクターを提供することができる。
【図面の簡単な説明】
【００１１】
【図１】投写画像の画角変位と、移動中の表示画像の概要
【図２】本発明のプロジェクターの主要な構成を表すブロック図
【図３】レンズ位置移動を実行させるためのユーザーインターフェースの一例
【図４】本発明のプロジェクターの動作を表すフローチャート
【図５】本発明のプロジェクターの動作を表すフローチャート
【図６】投写画像の画角変位を見積もる為の概略図
【図７】本発明のプロジェクターの主要な構成を表すブロック図
【図８】本発明のプロジェクターの主要な構成を表すブロック図
【図９】本発明のプロジェクターの主要な構成を表すブロック図
【図１０】本発明のプロジェクターの主要な構成を表すブロック図
【発明を実施するための形態】
【００１２】
以下に、本発明の好ましい実施の形態を、添付の図面に基づいて詳細に説明する。
【実施例１】
【００１３】
以下、図１、図２、図３、図４を参照して、本発明の第１の実施例による、プロジェクターの挙動および構成について説明する。
【００１４】
まずは図２を参照して、本発明の第１の実施例におけるプロジェクターの構成を説明する。
【００１５】
１００は本発明におけるプロジェクターの基本構成を示すブロック図である。１２１は中央処理装置（ＣＰＵ）であり、プロジェクター内部に存在する各種機能ブロックに対し、処理命令を行う。１１０は画像信号入力部であり、図示しないプロジェクター外部に存在する画像信号出力装置からの画像信号、または、プロジェクター内部で生成した画像信号が入力される。画像信号入力部から入力された画像信号はプロジェクター内部で処理可能な形式に変換され、画像処理部１１１において、明るさ・コントラスト等の画質調整やキーストーン調整等の画角補正等が行われる。
【００１６】
１１２は画像処理部に含まれるブランク処理部であり、ＣＰＵからのブランク指示に応じて、画像を全面黒等の所定の画像に加工する。１１３はパネル駆動部であり、画像処理部から出力される画像信号に基づいて、パネル１１５上に光変調用画像を生成する。光源１１４から出射された光は、パネル１１５上に形成された光変調用画像によって変調され、投写レンズ１１７を介して外部の被投写面上に投写画像を投写する。１１６はレンズシフト機構であり、被投写面上の投写画像の位置を移動させる。
【００１７】
ＣＰＵ１２１はズーム制御部１２０およびレンズシフト制御部１１９を介して、投写レンズ１１７のズーム位置、レンズシフト機構１１６のレンズシフト位置を制御する。なお、ＣＰＵ１２１はズーム制御部を介して、ズーム位置を取得する。また、ＣＰＵ１２１はレンズシフト制御部を介して、レンズシフト位置を取得する。ＣＰＵは、ズーム制御部１２０・レンズシフト制御部１１９に駆動制御をかけると同時に、ズーム位置、レンズシフト位置を取得する。位置取得結果が、所望の範囲に達したことを判断すると、ＣＰＵ１２１はズーム制御部１２０、レンズシフト制御部１１９に対し、駆動停止指示を出す。これによって、ＣＰＵ１２１は投写レンズ１１７のズーム位置、レンズシフト機構１１６のレンズシフト位置を所望の位置に移動させる。
【００１８】
１２２は操作部であり、ユーザーによる操作を受け付ける。１２３は不揮発メモリであり、ＣＰＵ１２１からの指示に基づいてユーザー設定値等が保存され、また、保存されたデータはＣＰＵ１２１によって読み出される。
【００１９】
図１は本発明の第１の実施例における、プロジェクターの挙動の概略を示している。図１（Ａ）はプロジェクターと、被投写面上に形成される投写画像位置の一例である。図１（Ｂ）は投写画像位置の移動前、移動中、移動後に表示される投写画像の例を示しており、移動中は投写画像の輝度を低減するように加工されている。
【００２０】
１００は本発明におけるプロジェクターである。プロジェクター１００は前述のように、投写レンズ１１７のズーム位置、レンズシフト機構１１６のレンズシフト位置を移動させることによって、被投写面上における投写画像位置またはサイズを変位させる。
【００２１】
１０１は、１０２はそれぞれこの機構によって移動された第一の投写画像位置、第二の投写画像位置を示している。第一の投写画像位置１０１から第二の投写画像位置１０２へ移動する際に、ＣＰＵの指示に基づいて、図１（Ｂ）の移動中の表示画像に示すように、投写画像の輝度を低減する。この挙動によって、第一の投写画像位置１０１から第二の投写画像位置１０２へ投写画像を移動させている間、移動中の投写画像を観衆に視認し難くすることができる。
【００２２】
ここで、図３を参照して、所定のレンズシフト位置・ズーム位置への移動指示について概要を説明する。
【００２３】
図３には、「メモリ１ロード」から「メモリ３ロード」というメニューが表示されている。それぞれのメニュー項目に対し、予め所定のレンズシフト位置、ズーム位置が関連付けられて、不揮発メモリ１２３に保存されている。保存に関しては、任意の時点において保存操作を行うと、その時点におけるレンズシフト位置、ズーム位置が保存される構成でも良いし、予め定められた所定値が保存される構成でもよい。
【００２４】
図３のメニュー画面において、所定のメニュー項目を操作部１２２により選択操作をすることが、そのメニュー項目に関連付けて保存されているレンズシフト位置、ズーム位置への移動指示に相当する。
【００２５】
図４は、本発明の第１の実施例における、プロジェクターの挙動を示すフローチャートである。
【００２６】
Ｓ０１において、ＣＰＵ１２１は操作部１２２を用いてユーザーに操作された、所定のレンズシフト位置・ズーム位置への移動指示を検知する。
【００２７】
移動指示が検知されると、ＣＰＵ１２１は、ブランク処理部１１２に対し、ブランク処理を実行させる（Ｓ０２）。ここで、ブランク処理には、黒画像表示だけでなく、所定の色やパターンの画像の表示、あるいは、表示画像の諧調を低減させる等、通常の画像表示とは異なる表示をさせるものを含むものとする。
【００２８】
Ｓ０３はレンズシフト位置移動ステップであり、ＣＰＵ１２１はＳ０１で指示されたレンズシフト位置保存値を目標位置として、レンズシフト位置を移動させる。
【００２９】
Ｓ０４において、所望の位置にレンズシフト位置が到達したか否かを判断する。この判断は、ＣＰＵ１２１がレンズシフト制御部１１９からレンズシフト位置を取得し、その値と、目標位置を比較することによって行う。目標位置に未達の場合には、Ｓ０３へ戻りレンズシフト移動を継続する。
【００３０】
目標位置に到達した場合には、Ｓ０５において、ＣＰＵ１２１はレンズシフト制御部１１９に対し、駆動停止を指示する。
【００３１】
次にズームの移動を行う。
【００３２】
Ｓ０６において、ＣＰＵ１２１はＳ０１で指示されたズーム位置保存値を目標位置として、ズーム位置を移動させる。
【００３３】
Ｓ０７において、所望の位置にズームが到達したか否かを判断する。この判断は、ＣＰＵ１２１がズーム制御部１２０からズーム位置を取得し、その値と、目標位置を比較することによって行う。目標位置に未達の場合には、Ｓ０６へ戻り、ズーム移動を継続する。目標位置に到達した場合には、Ｓ０８において、ＣＰＵ１２１はズーム制御部１２０に対し、駆動停止を指示する。
【００３４】
これでレンズシフト位置およびズーム位置の移動が完了したことになるので、ＣＰＵ１２１は、Ｓ０２で施していたブランク処理を解除する（Ｓ０９）。
【００３５】
以上の処理により、投写画像位置・サイズの変位を行う場合に、被投写面上に表示される変位中の投写画像を観衆に視認し難くすることができる。
【００３６】
被投写面上に変位中の投写画像が表示される位置は、本来投写画像の表示を想定しないため、適切なスクリーン等が設けられていないことが多い。本実施例の構成によれば、このようなケースにおいて意図しない位置に投写画像が表示され、品位が損なわれることを抑制することができる。
【実施例２】
【００３７】
以下、図５、６を参照して、本発明の第２の実施例による、プロジェクターの挙動について説明する。
【００３８】
図５は本発明の第２の実施例における、プロジェクターの挙動を示すフローチャートである。図４と同様の記号を使用しているものに関しては既に説明した処理と同様である。
【００３９】
Ｓ０１において、移動指示が検知されると、ＣＰＵ１２１はレンズシフト制御部１１９、ズーム制御部１２０からその時点におけるレンズシフト位置、ズーム位置を取得する（Ｓ１０）。
【００４０】
Ｓ１１において、投写画像変位量が、所定の変位量条件を満たすか否かを判断する。ここで、図６を参照して、変位量条件の算出の一例を示しておく。２０１ａ，２０１ｂはそれぞれ、変位実行前、変位実行後の所定の被投写面における投写画像の画角を示している。（Ｘａ，Ｙａ），（Ｘｂ，Ｙｂ）はそれぞれの投写画像の画角の中央を示しており、Ｗａ，Ｗｂはそれぞれの投写画像の画角の幅、Ｈａ，Ｈｂはそれぞれの投写画像の画角の高さを示している。各値はレンズシフト制御部１１９から取得されるレンズシフト位置、ズーム制御部１２０から取得されるズーム位置、不揮発メモリから取得される移動目標値であるレンズシフト位置、ズーム位置からそれぞれ算出される。
ここで、移動前の投写画像の画角の面積Ｓａは、
Ｓａ＝Ｗａ＊Ｈａ
である。
また、移動前後で重なる領域２０２（網掛け部分）の面積Ｓｗは、
Ｓｗ＝｛（Ｘａ＋Ｗａ／２）-（Ｘｂ-Ｗｂ／２）｝＊｛（Ｙｂ＋Ｈｂ／２）-（Ｙａ-Ｈａ／２）｝
で求められる。
【００４１】
Ｓｗ／Ｓａが予め定められた所定値以下の場合に、２０１ａから２０１ｂへの移動量が大きいと判断し、Ｓ０２において、画面にブランク処理を施す。そうでない場合にはＳ０２はスキップされる。
【００４２】
なお、上で示した投写画像変位量の判断は一例であり、移動前後の画面のその他の算出方法であっても構わない。
【００４３】
レンズシフト、ズームの駆動が完了すると、Ｓ１２において、ＣＰＵ１２１はＳ０２でブランク処理を施したか否かを判断する。ブランク処理を施した場合には、Ｓ０９でブランク解除を行い、そうでない場合はＳ０９をスキップする。
【００４４】
移動前と移動後の投写画像の画角の変位量が小さい場合にはブランク処理を行うと、却って画面の輝度変化が目立って感じられる場合がある。本実施例の構成ではこれを抑制することが可能である。
【実施例３】
【００４５】
以下、図７を参照して、本発明の第３の実施例による、プロジェクターの構成について説明する。
【００４６】
１３１は輝度低減手段としての光源輝度制御部である。
【００４７】
ＣＰＵ１２１は、レンズシフト制御部１１９、ズーム制御部１２０を用いて投写画像位置を所定の位置に移動させている間、光源輝度制御部１３１を用いて、光源１１４の輝度を低減させる。投写画像位置の移動を完了すると、ＣＰＵ１２１は、光源輝度制御部１３１を用いて低減させておいた光源１１４の輝度を復帰させる。
【００４８】
光源１１４が発光ダイオード等を用いた光源の場合、一度消灯させても直ぐに再点灯させることが可能であるため、投写画像位置を移動中は光源を消灯させる構成としても良い。
【００４９】
また、本構成においても、実施例２で示したように、投写画像変位量が、所定の変位量条件を満たすか否かによって、光源輝度制御を行うか否かを判断することもできる。
【実施例４】
【００５０】
以下、図８を参照して、本発明の第４の実施例による、プロジェクターの構成について説明する。
【００５１】
１４２は、輝度低減手段としてのシャッター機構である。シャッター機構１４２は、光源１１４から投写レンズ１１７の光路の途中に設けられ、例えば、パネル１１５とレンズシフト機構１１６の間に設けられる。シャッター機構１４２は光路上の光を遮蔽することにより、投写レンズ１１７から出射される光量を制御する。
【００５２】
１４１はシャッター制御部であり、シャッター機構１４２の開閉を制御する。
【００５３】
ＣＰＵ１２１は、レンズシフト制御部１１９、ズーム制御部１２０を用いて投写画像位置を所定の位置に移動させている間、シャッター制御部１４１を用いて、シャッター機構１４２を閉じ、投写レンズ１１７から出射される光量を低減させる。投写画像位置の移動を完了すると、ＣＰＵ１２１は、シャッター制御部１４１を用いて、シャッター機構１４２を開き、投写レンズ１１７から出射される光量を復帰させる。
【実施例５】
【００５４】
以下、図９を参照して、本発明の第５の実施例による、プロジェクターの構成について説明する。
【００５５】
１５２は、輝度低減手段としてのレンズバリア機構である。レンズバリア機構１５２は、投写レンズ前面に設けられ、投写レンズからの出射光を遮ることにより、投写レンズ１１７から出射される光量を制御する。
【００５６】
１５１はレンズバリア制御部であり、レンズバリア機構１５２の開閉を制御する。
【００５７】
ＣＰＵ１２１は、レンズシフト制御部１１９、ズーム制御部１２０を用いて投写画像位置を所定の位置に移動させている間、レンズバリア制御部１５１を用いて、レンズバリア機構１５２を閉じ、投写レンズ１１７から出射される光量を低減させる。投写画像位置の移動を完了すると、ＣＰＵ１２１は、レンズバリア制御部１５１を用いて、レンズバリア機構１５２を開き、投写レンズ１１７から出射される光量を復帰させる。
【実施例６】
【００５８】
以下、図１０を参照して、本発明の第６の実施例によるプロジェクターの構成について説明する。
【００５９】
１６２は装置筐体移動機構であり、装置筐体を移動・回転することによって、被投写面に投写される投写画像の位置・サイズを変位させる。
【００６０】
ＣＰＵ１２１は装置筐体移動制御部１６１を介して、装置筐体移動機構１６２を制御する。
【００６１】
レンズシフト移動、ズーム移動に加えて、装置筐体移動機構１６２による装置筐体の移動によっても、投写画像の画角を変位させることが可能となる。投写画像の画角を変位させている間、前述の方法で投写画像の輝度を抑制することにより、前述の実施例で述べたのと同様に、被投写面上に表示される変位中の画像を観衆に視認し難くすることができる。
【００６２】
以上、本発明の好ましい実施形態について説明したが、本発明はこれらの実施形態に限定されず、その要旨の範囲内で種々の変形及び変更が可能である。
【符号の説明】
【００６３】
１００  プロジェクター、１０１  第一の投写画像の画角、
１０２  第二の投写画像の画角、１１０  画像信号入力部、１１１  画像処理部、
１１２  ブランク処理部、１１３  パネル駆動部、１１４  光源部、１１５  パネル、
１１６  レンズシフト機構、１１７  投写レンズ、１１９  レンズシフト制御部、
１２０  ズーム制御部、  １２１  ＣＰＵ、１２２  操作部、１２３  不揮発メモリ
【図１】
2017175308.tif 000003
【図２】
2017175308.tif 000004
【図３】
2017175308.tif 000005
【図４】
2017175308.tif 000006
【図５】
2017175308.tif 000007
【図６】
2017175308.tif 000008
【図７】
2017175308.tif 000009
【図８】
2017175308.tif 000010
【図９】
2017175308.tif 000011
【図１０】
2017175308.tif 000012